(57)【要約】  本発明の医療用ポートは、栄養剤用容器の容器本体部に固定され、容器本体部の内外を連通させ得る医療用ポート１３であって、貫通孔２ｄと、容器本体部へ固定される側壁部１８と、コネクタとの接続状態を保持可能とする接続部２１と、を含むポート本体部２２と、ポート本体部に取り付けられ、医療用ポートが容器本体部に固定された状態で容器本体部内の前記貫通孔の延長線上に配置され、容器本体部内の液状物の栄養剤用容器外への流出を遮る薄膜１６と、ポート本体部に連結され、破断または変形可能なブリッジ１９ａと、その一部が貫通孔２１ｄ内に挿入され、且つ、ポート本体部にブリッジを介して連結された、連通部材１９とを含む。連通部材は、連通部材が容器本体部側に押し込まれてブリッジが破断または変形することにより薄膜を突き破り可能とする穿刺部と、薄膜が突き破られた状態で容器本体部内の液状物を栄養剤用容器外へ流出させ得る流路とを含む。
2012137286.tif 000002
【特許請求の範囲】
【請求項１】
栄養剤用容器の容器本体部に固定され、前記容器本体部の内外を連通させ得る医療用ポートであって、
前記医療用ポートは、
貫通孔と、前記容器本体部へ固定される側壁部と、コネクタとの接続状態を保持可能とする接続部と、を含むポート本体部と、
前記ポート本体部に取り付けられ、前記医療用ポートが前記容器本体部に固定された状態で前記容器本体部内の前記貫通孔の延長線上に配置され、前記容器本体部内の液状物の前記栄養剤用容器外への流出を遮る薄膜と、
前記ポート本体部に連結され、破断または変形可能なブリッジと、
その一部が前記貫通孔内に挿入され、且つ、前記ポート本体部に前記ブリッジを介して連結された、連通部材とを含み、
前記連通部材は、
前記連通部材が前記容器本体部側に押し込まれて前記ブリッジが破断または変形することにより前記薄膜を突き破り可能とする穿刺部と、
前記薄膜が突き破られた状態で前記容器本体部内の前記液状物を前記栄養剤用容器外へ流出させ得る流路とを含む、医療用ポート。
【請求項２】
前記連通部材は、複数の前記流路を含み、前記薄膜側とは反対側の端面において各流路の一部を構成する孔が形成されている請求項１に記載の医療用ポート。
【請求項３】
前記連通部材は、複数の前記流路を含み、前記薄膜側とは反対側の端部に板状部を含み、前記板状部に各流路の一部を構成する孔が形成されている請求項１に記載の医療用ポート。
【請求項４】
前記連通部材は、前記板状部よりも前記薄膜側に配置され、各孔の延長方向における空間を相互に隔てるように配置された隔壁を含む請求項３に記載の医療用ポート。
【請求項５】
前記連通部材の、前記穿刺部よりも前記薄膜側先端からより離れた箇所の一部が、前記穿刺部よりも前記連通部材の軸方向と直交する方向に出っ張っている請求項１〜４のいずれかの項に記載の医療用ポート。
【請求項６】
前記ブリッジが、前記流路を跨ぐように、前記連通部材と前記ポート本体部とを連結している請求項１に記載の医療用ポート。
【請求項７】
前記ポート本体部と前記ブリッジとの連結部位（第１連結部位）から、前記ブリッジと前記連通部材との連結部位（第２連結部位）までの、前記ブリッジを含む部分が折れ曲がり変形することにより、前記連通部材を前記容器本体部側に押し込み可能とする請求項１に記載の医療用ポート。
【請求項８】
前記第１連結部位から前記第２連結部位までの前記ブリッジを含む前記部分が、３つの肉薄部を含み、当該３つの肉薄部が折れ曲がり変形することにより、前記連通部材を前記容器本体部側に押し込み可能とする請求項７に記載の医療用ポート。
【請求項９】
前記連通部材を覆い、前記接続部と係合可能な係合部を備えた保護カバーをさらに備えた請求項１〜８のいずれかの項に記載の医療用ポート。
【請求項１０】
可撓性袋状部材を含む容器本体部と、
前記容器本体部に固定された請求項１〜９のいずれかの項に記載の医療用ポートと、を含む栄養剤用容器。
【請求項１１】
請求項１０に記載の栄養剤用容器と、
前記医療用ポートの前記接続部と係合可能な係合部を有するコネクタと、前記コネクタに接続された送液チューブとを含む送液回路とを含む、栄養剤供給セット。
【発明の詳細な説明】
【技術分野】
【０００１】
本発明は、栄養剤用容器の容器本体部に固定され、容器本体部の内外を連通させ得る医療用ポート、及び当該医療用ポートが容器本体部に固定された栄養剤用容器、並びに栄養剤供給セットに関する。
【背景技術】
【０００２】
経口によらずに患者に栄養や薬剤を投与する方法として経腸栄養療法や静脈栄養療法が知られている。経腸栄養療法では、患者の鼻腔から胃又は十二指腸にまで通されたチューブ（一般に「経鼻チューブ」と呼ばれる）又は患者の腹に形成された胃ろう（胃ろうを形成する施術を「Percutaneous Endoscopic Gastrostomy」と呼ぶ）に挿入されたチューブ（一般に「ＰＥＧチューブ」と呼ばれる）を介して栄養剤、流動食、又は薬剤などの液状物（一般に「経腸栄養剤」と呼ばれる）が投与される。また、静脈栄養療法では、患者の静脈に挿入された輸液ライン（送液回路）を介してブドウ糖などの栄養成分や薬剤成分を含む液状物（一般に「輸液」と呼ばれる）が投与される。【０００３】
図２０に、従来の経腸栄養療法に用いられる経腸栄養セットの一例の概略構成図を示している。栄養剤用容器１００の容器本体１０１内には、栄養剤が充填されている。容器本体１０１の栄養剤を流出させる口部１０２には薄膜（図示せず）が取り付けられて、容器本体１０１内が密閉されている。体内に栄養剤を投与する際には、プラスチック製接続針１０４を口部に装着されたキャップ１０５に刺して上記薄膜を突き破る。このことにより、接続針１０４に接続されたチューブを通して体内に栄養剤を送ることができる。【０００４】
図２１に、従来の静脈栄養療法に用いられる輸液セットの一例の概略構成図を示している。バッグ１１０のバッグ本体１１１内には、栄養成分や薬剤成分を含む液状物が充填されている。体内に液状物を投与する際には、接続針１１４を接続針用ポート１１３に穿刺する。このことにより、接続針１１４に接続されたチューブを通して体内に液状物を送ることができる（特許文献１参照）。
【先行技術文献】
【特許文献】
【０００５】
【特許文献１】特開２０００―１７６０２３号公報
【発明の概要】
【発明が解決しようとする課題】
【０００６】
上記のとおり、従来の経腸栄養療法においては、静脈栄養療法と同様に、先端が鋭利な接続針を接続対象に突き刺すことによって、栄養剤を体内に送る手法が採用される場合がある。そのため、キャップ１０５に接続針１１４を穿刺することが可能である。この場合、接続針１１４は、キャップ１０５及び薄膜を貫通し、口部１０２の内部に至ることになる。しかし、このような誤接続が行われると、胃や腸に供給されるべき栄養剤等が静脈に誤って供給されることになり、医療事故が発生する可能性があった。【０００７】
本発明は、上記誤接続の問題を解決し、且つ、栄養剤等の液状物の供給が簡単な操作で衛生的に行える栄養剤用容器の提供を可能とする医療用ポート、及びそれを用いた栄養剤用容器、並びに栄養剤供給セットを提供する。
【課題を解決するための手段】
【０００８】
本発明の医療用ポートは、
栄養剤用容器の容器本体部に固定され、前記容器本体部の内外を連通させ得る医療用ポートであって、
貫通孔と、前記容器本体部へ固定される側壁部と、コネクタとの接続状態を保持可能とする接続部と、を含むポート本体部と、
前記ポート本体部に取り付けられ、前記医療用ポートが前記容器本体部に固定された状態で前記容器本体部内の前記貫通孔の延長線上に配置され、前記容器本体部内の液状物の前記栄養剤用容器外への流出を遮る薄膜と、
前記ポート本体部に連結され、破断または変形可能なブリッジと、
その一部が前記貫通孔内に挿入され、且つ、前記ポート本体部に前記ブリッジを介して連結された、連通部材とを含む。前記連通部材は、前記連通部材が前記容器本体部側に押し込まれて前記ブリッジが破断または変形することにより前記薄膜を突き破り可能とする穿刺部と、前記薄膜が突き破られた状態で前記容器本体部内の前記液状物を前記栄養剤用容器外へ流出させ得る流路とを含む。【０００９】
本発明の栄養剤用容器は、
可撓性袋状部材を含む容器本体部と、
前記容器本体部に固定された本発明の医療用ポートと、を含む。【００１０】
本発明の栄養剤供給セットは、
本発明の栄養剤用容器と、
前記医療用ポートの前記接続部と係合可能な係合部を有するコネクタと、前記コネクタに接続された送液チューブとを含む送液回路とを含む。
【発明の効果】
【００１１】
本発明によれば、静脈栄養療法に用いられる送液回路が栄養剤用容器に誤って接続されるという誤接続の問題を解決し、且つ、栄養剤等の液状物の供給が簡単な操作で衛生的に行える栄養剤用容器の提供を可能とする医療用ポート、及びそれを用いた栄養剤用容器、並びに栄養剤供給セットを提供できる。
【図面の簡単な説明】
【００１２】
【図１】図１は、実施形態１の栄養剤用容器の一例を示した正面図である。
【図２Ａ】図２Ａは、図１に示された栄養剤用容器を構成する本発明の医療用ポートの一例を示した拡大斜視図である。
【図２Ｂ】図２Ｂは、図２Ａに示した医療用ポートの部分拡大図である。
【図２Ｃ】図２Ｃは、図２Ａに示した医療用ポートの平面図である。
【図２Ｄ】図２Ｄは、図２Ａに示した医療用ポートの底面図である。
【図２Ｅ】図２Ｅは、図２Ａに示した医療用ポートの側面図である。
【図２Ｆ】図２Ｆは、図２Ａに示した医療用ポートの他の側面図である。
【図２Ｇ】図２Ｇは、図２Ａに示した医療用ポートの断面図である。
【図２Ｈ】図２Ｈは、図２Ａに示した医療用ポートの他の断面図である。
【図３Ａ】図３Ａは、図２Ａに示した医療用ポートのブリッジ及び連通部材を説明する拡大斜視図である。
【図３Ｂ】図３Ｂは、図３ＡのＡ−Ａ'断面図である。
【図３Ｃ】図３Ｃは、ブリッジ及び連通部材の他の一例を説明する斜視図である。
【図３Ｄ】図３Ｄは、ブリッジ及び連通部材の他の一例を説明する斜視図である。
【図３Ｅ】図３Ｅは、ブリッジ及び連通部材の他の一例を説明する斜視図である。
【図３Ｆ】図３Ｆは、ブリッジ及び連通部材の他の一例を説明する斜視図である。
【図３Ｇ】図３Ｇは、ブリッジ及び連通部材の他の一例を説明する斜視図である。
【図４】図４は、図２Ａに示された医療用ポートに対して、送液回路が接続される直前の様子を示した断面図である。
【図５】図５は、図２Ａに示された医療用ポートに対して、送液回路が接続される途中の状態を示した断面図である。
【図６Ａ】図６Ａは、図２Ａに示された医療用ポートの連通部材によって薄膜が破られた状態を示した断面図である。
【図６Ｂ】図６Ｂは、図６Ａに示された医療用ポート及び送液回路の部分拡大図である。
【図７Ａ】図７Ａは、図２Ａに示された医療用ポートに接続されるコネクタの一例の斜視図である。
【図７Ｂ】図７Ｂは、図７Ａに示したコネクタの平面図である。
【図７Ｃ】図７Ｃは、図７Ａに示したコネクタの底面図である。
【図７Ｄ】図７Ｄは、図７Ａに示したコネクタの側面図である。
【図７Ｅ】図７Ｅは、図７Ａに示したコネクタの他の側面図である。
【図８】図８は、実施形態２の栄養剤用容器の一例を示した正面図である。
【図９Ａ】図９Ａは、図８に示された栄養剤用容器を構成する保護カバーの斜視図である。
【図９Ｂ】図９Ｂは、図９Ａに示された保護カバーの他の斜視図である。
【図９Ｃ】図９Ｃは、図９Ａに示された保護カバーの平面図である。
【図９Ｄ】図９Ｄは、図９Ａに示された保護カバーの底面図である。
【図１０】図１０は、実施形態３の栄養剤用容器の一例を示した正面図である。
【図１１Ａ】図１１Ａは、図１０に示された栄養剤用容器を構成する本発明の医療用ポートの一例を示した拡大斜視図である。
【図１１Ｂ】図１１Ｂは、図１１Ａに示した医療用ポートの部分拡大図である。
【図１１Ｃ】図１１Ｃは、図１１Ａに示した医療用ポートの平面図である。
【図１１Ｄ】図１１Ｄは、図１１Ａに示した医療用ポートの底面図である。
【図１１Ｅ】図１１Ｅは、図１１Ａに示した医療用ポートの側面図である。
【図１１Ｆ】図１１Ｆは、図１１Ａに示した医療用ポートの他の側面図である。
【図１２】図１２は、図１１Ａに示した医療用ポートのブリッジ及び連通部材を説明する斜視図である。
【図１３】図１３は、図１１Ａに示された医療用ポートに対して、送液回路が接続される直前の様子を示した断面図である。
【図１４】図１４は、図１１Ａに示した医療用ポートの連通部材によって薄膜が破られた状態を示した断面図である。
【図１５】図１５は、実施形態４の栄養剤用容器の一例を示した正面図である。
【図１６Ａ】図１６Ａは、図１５に示された栄養剤用容器を構成する本発明の医療用ポートの一例を示した拡大斜視図である。
【図１６Ｂ】図１６Ｂは、図１６Ａに示した医療用ポートの部分拡大図である。
【図１６Ｃ】図１６Ｃは、図１６Ａに示した医療用ポートの平面図である。
【図１６Ｄ】図１６Ｄは、図１６Ａに示した医療用ポートの底面図である。
【図１６Ｅ】図１６Ｅは、図１６Ａに示した医療用ポートの側面図である。
【図１６Ｆ】図１６Ｆは、図１６Ａに示した医療用ポートの他の側面図である。
【図１７Ａ】図１７Ａは、図１６Ａに示した医療用ポートのＢ−Ｂ'断面図である。
【図１７Ｂ】図１７Ｂは、図１６Ａに示した医療用ポートのＣ−Ｃ'部分拡大断面図である。
【図１８Ａ】図１８Ａは、図１６Ａに示された医療用ポートに対して、送液回路が接続される直前の様子を示した部分拡大断面図である。
【図１８Ｂ】図１８Ｂは、図１６Ａに示された医療用ポートの連通部材が薄膜側に押し込まれる途中の様子を示した部分拡大断面図である。
【図１８Ｃ】図１８Ｃは、図１６Ａに示された医療用ポートの連通部材が薄膜側に押し込まれる途中の様子を示した部分拡大断面図である。
【図１８Ｄ】図１８Ｄは、図１６Ａに示された医療用ポートの連通部材が薄膜側に押し込まれる途中の様子を示した部分拡大断面図である。
【図１９】図１９は、本発明の栄養剤用容器の他の一例を示した正面図である。
【図２０】図２０は、従来の経腸栄養療法に用いられる経腸栄養セットの一例の概略構成図である。
【図２１】図２１は、従来の静脈栄養療法に用いられる輸液セットの一例の概略構成図である。
【発明を実施するための形態】
【００１３】
本発明の医療用ポートの好ましい一例では、連通部材は、複数の流路を含み、連通部材の薄膜側とは反対側の端面において、複数の孔が形成されている。例えば、連通部材は薄膜側とは反対側の端部において板状部を含み、その板状部に各流路の一部を構成する孔が形成されていると好ましい。上記端面において複数の孔が形成されているということは、１つの貫通孔が複数の小孔に区画されているとも言え、貫通孔内に先端が鋭利な接続針を挿入し難い構造となっている。このように、連通部材が、先端が鋭利な接続針が連通部材内に挿入され難い構造であれば、専ら、先端が鋭利な接続針を接続対象に突き刺すことによって液状物を体内に送る静脈栄養療法用の送液回路が、誤って、経腸栄養療法に使用される栄養剤用容器に接続されるという誤接続の問題がより確実に解決される。
【００１４】
本発明の医療用ポートの好ましい一例では、連通部材は、板状部よりも薄膜側に配置され、各孔の延長方向における空間を相互に隔てるように配置された隔壁を含んでいる。この場合、例えば、連通部材の外形が略円柱状である場合よりも、連通部材が軽量となり、連通部材を成形し易いので好ましい。
【００１５】
本発明の医療用ポートの好ましい一例では、連通部材の、穿刺部よりも薄膜側先端からより離れた箇所の一部が、穿刺部よりも連通部材の軸方向と直交する方向に出っ張っている。この場合、穿刺部により薄膜を破った後、上記出っ張った部分が、薄膜の破られていない部分に接して、連通部材が容器本体部内に落下することが効果的に防止され、好ましい。
【００１６】
本発明の医療用ポートの好ましい一例では、ブリッジが、容器本体部に充填された液状物を栄養剤用容器外へ流出させ得る流路を跨ぐように、連通部材とポート本体部とを連結している。この場合、連通部材内の内腔（流路）を横切るようにブリッジが配置されているので、先端が鋭利な接続針が連通部材内に挿入され難く、上記誤接続をより確実に防止できる。
【００１７】
本発明の医療用ポートの好ましい一例では、ポート本体部とブリッジとの連結部位（第１連結部位）から、ブリッジと連通部材との連結部位（第２連結部位）までの、ブリッジを含む部分が折れ曲がり変形することにより、連通部材を容器本体部側に押し込み可能とする。この場合、ポート本体部と連通部材とが繋がったまま薄膜を破ることができるので、連通部材が、容器本体部内に落下して液状物に浮遊することが確実に防止でき、好ましい。
【００１８】
例えば、第１連結部位から第２連結部位までのブリッジを含む部分が、３つの肉薄部を含み、３つの肉薄部を各々折れ曲がり変形させれば、連通部材を容器本体部側に容易に押し込むことができる。肉薄部の数が３つであれば、連通部材を容器本体部側に押し込んだ際に、肉薄部の数が少ないことによりブリッジが破断したり、肉薄部の数が多すぎることにより折れ曲がり方が複雑になることが抑制され、好ましい。
【００１９】
本発明の医療用ポートの好ましい一例では、連通部材を覆い、医療用ポートの接続部と係合可能な係合部を備えた保護カバーを備える。この場合、希望しない時に連通部材に外力が加わることが防止される。故に、希望しない時に、連通部材に外力が加わり、連通部材が容器本体部側に押し込まれ容器本体部側に押し込まれた連通部材により薄膜が突き破られることを防止できる。
【００２０】
（実施形態１）
実施形態１では、図１〜図７Ｅを用いて、本発明の医療用ポートの一例、及び当該医療用ポートを用いた本発明の栄養剤用容器の一例について説明する。
【００２１】
図１は、本実施形態の栄養剤用容器の一例を示した正面図であり。図２Ａは、図１に示された栄養剤用容器を構成する本実施形態の医療用ポートの一例を示した拡大斜視図であり、図２Ｂは、図２Ａに示された医療用ポートの部分拡大図であり、図２Ｃは、図２Ａに示された医療用ポートの平面図、図２Ｄは、図２Ａに示された医療用ポートの底面図、図２Ｅは、図２Ａに示された医療用ポートの側面図、図２Ｆは、図２Ａに示された医療用ポートの他の側面図、図２Ｇは、図２Ａに示された医療用ポートの断面図、図２Ｈは、図２Ａに示された医療用ポートの他の断面図である。
【００２２】
以下、説明の便宜のため、図２Ａ等に示したように、連通部材１９の中心軸１９ｎと平行な方向をＺ軸、Ｚ軸と直交し且つ天面部１７の長軸方向をＸ軸、Ｚ軸及びＸ軸と直交する方向をＹ軸とする。Ｚ軸方向を「上下方向」と呼び、Ｚ軸の矢印の側（即ち図２の紙面上側）を「上側」又は「先端側」と呼び、その反対側（即ち図２の紙面下側）を「下側」又は「基端側」と呼ぶ。
【００２３】
図１に示されるように、栄養剤用容器１０は、平袋状の可撓性袋状部材２９を含む容器本体部１１と、容器本体部１１内に充填された栄養剤を含む液状物（図示せず）と、容器本体部１１の下端に固定された医療用ポート１３とを備える。可撓性袋状部材２９の上部には、栄養剤用容器１０をスタンド等に吊り下げるための吊り下げ部２８が設けられている。
【００２４】
容器本体部１１は、例えば、２枚の軟質樹脂シート１６ａ，１６ｂを重ね、それらの外周縁を相互にヒートシール（熱接着）することにより形成される。図１の参照符号２は、２枚の軟質樹脂シート１６ａ，１６ｂのヒートシール領域（図１においてドットが付された部分）を示す。医療用ポート１３は、軟質樹脂シート１６ａ，１６ｂ間に挟まれて容器本体部１１に固定されている。医療用ポート１３は、例えば、軟質樹脂シート１６ａ，１６ｂ間に配置された状態で軟質樹脂シート１６ａ，１６ｂのヒートシール領域２をヒートシールすることで、軟質樹脂シート１６ａ，１６ｂに一体化させることができる。
【００２５】
軟質樹脂シート１６ａ，１６ｂとしては、特に制限はないが、例えば医療用軟質容器に用いられる、従来より公知の軟質樹脂シートを使用できる。具体的には、例えば、塩化ビニル樹脂、ポリエチレン、エチレン−酢酸ビニル共重合体、ポリエステル、ポリブタジエン、ポリプロピレン、ポリアミド、エチレン−メタクリレート共重合体等からなる単層シート、又は上記単層シートが２層以上積層された積層シートが挙げられる。積層シートの具体的層構成としては、例えば、ナイロン／ポリエチレン、ナイロン／ポリプロピレン、ポリエチレンテレフタレート／ポリエチレン、ポリエチレンテレフタレート／ポリプロピレン、ポリプロピレン／ポリエチレン、ナイロン／ポリプロピレン／ポリエチレン等が挙げられる。あるいは、グレード（例えば成膜方法、機械的特性、または組成など）が異なる同種の樹脂を積層した積層シート（例えば、二軸延伸ポリプロピレン（ＯＰＰ）／無延伸ポリプロピレン（ＣＰＰ）等）であってもよい。ヒートシールされる側の表面は、易ヒートシール性を有する材料（例えばポリプロピレン）で構成されることが好ましい。軟質樹脂シート１６ａ，１６ｂの厚さは、特に限定はないが、例えば０．１〜０．６ｍｍ程度である。軟質樹脂シート１６ａ，１６ｂは透光性（または半透明性）を有していると、可撓性袋状部材２９内の液状物を外から視認することができるので好ましい。より好ましくは、軟質樹脂シート１６ａ，１６ｂは透明である。
【００２６】
可撓性袋状部材２９内に充填された液状物が医療用ポート１３から流出するに伴い、可撓性袋状部材２９内の圧力は低くなるが、可撓性袋状部材２９が、軟質樹脂シート等の軟質材で形成されている場合は、液状物の流出に伴い可撓性袋状部材２９が変形し、液状物の流出は継続する。
【００２７】
図２Ａ〜図２Ｈに示されるように、医療用ポート１３は、ポート本体部２２と、ポート本体部２２に連結されたブリッジ１９ａ（図２Ｂ等参照）と、ブリッジ１９ａを介してポート本体部２２に連結された連通部材１９と、薄膜１６（図２Ｄ，図２Ｇ，及び図２Ｈ参照）とを含む。ポート本体部２２と、ブリッジ１９ａと、連通部材１９とは、射出成形法等により一体成形できる。
【００２８】
ブリッジ１９ａは、連通部材１９を押圧により薄膜１６側に押し込むと、いずれかの箇所がちぎれるものであり、その厚さ、幅等については、その材料に応じて適宜決定される。
【００２９】
ポート本体部２２は、基部２０と接続部２１とを含む。基部２０は、ＸＹ面と平行な面を含む天面部１７と、天面部１７から下側に向ってＺ軸と平行に立設され、容器本体部１１（図１参照）の内面に固定される側壁部１８とを備える。そのため、ポート本体部２２の天面部１７よりも下側には、側壁部１８によって囲われた、例えば、円筒状の空間２０ａが存在する。空間２０ａは、医療用ポート１３が容器本体部１１に固定された状態では、容器本体部１１内と連通する。図１に示されるように、医療用ポート１３が容器本体部１１（図１参照）に固定された状態では、接続部２１の全体は、容器本体部１１の外に配置され、基部２０の少なくとも１部は、容器本体部１１内に配置される。
【００３０】
図２Ａに示されるように、接続部２１は、天面部１７よりも上側に突出した管状部２１ａと、管状部２１ａの周囲に形成された接続部用基部２１ｂと、１対の爪部２１ｃとを含む。管状部２１ａは、上下方向に貫通する貫通孔２１ｄ（図２Ｇ、図２Ｈ参照）を有している。貫通孔２１ｄは、貫通孔２１ｄの下側の空間２０ａと連通している。図２Ｂに示されるように、ポート本体部の管状部２１ａには、ブリッジ１９ａを介して連通部材１９が連結されており、貫通孔２１ｄ（図２Ｇ、図２Ｈ参照）内に連通部材１９の一部が挿入されている。故に、連通部材１９の他の一部は管状部２１ａの上側に突出している。
【００３１】
１対の爪部２１ｃは、接続部用基部２１ｂの外周面から外方向（ＸＹ面と平行な方向）に突出している。１対の爪部２１ｃは、後述する送液回路２７（図５等参照）のコネクタ２５との接続状態を保持可能とする接続部として機能する。図２Ｃに示されるように、医療用ポート１３を、Ｚ方向と平行な方向に沿って見たとき、１対の爪部２１ｃは、例えば、天面部１７の長軸（Ｘ軸）上に配置されている。図２Ｅ及び図２Ｆに示されるように、１対の爪部２１ｃは、その天面部１７と向かい合う面に、後述する送液回路２７（図５等参照）のコネクタ２５のロック凹部３２１ｇ（図７Ａ参照）に嵌合し得るロック突起２１１ｃを含んでいる。
【００３２】
図２Ｄに示されるように、Ｚ軸方向に沿って見た、空間２０ａを取り囲む側壁部１８の外周面１８ａの形状は、略ひし形であり、当該略ひし形のＸ方向両端部における幅がそれぞれ先端に向かって漸次狭くなっている。そのため、側壁部１８を、容器本体部１１を構成する２枚の軟質樹脂シート材１６ａ，１６ｂ（図１参照）で挟んで、ヒートシールにより医療用ポート１３を軟質樹脂シート１６ａ，１６ｂに固定する際に、軟質樹脂シート１６ａ，１６ｂ同士が密着する箇所と、軟質樹脂シート１６ａ，１６ｂと側壁部１８とが密着する箇所との境目において、シール不良が起こることが抑制され、好ましい。
【００３３】
図２Ｇ及び図２Ｈに示されるように、接続部２１の下面２１ｅ（接続部２１の空間２０ａに面する面）には、貫通孔２１ｄと空間２０ａとの間の液状物の流通を遮る薄膜１６が取り付けられている。そのため、図１に示されるように、栄養剤用容器１０を、医療用ポート１３が下になるように向けても、栄養剤用容器１０内の液状物は、栄養剤用容器１０から漏れ出ない。薄膜１６は、管状部２１ａの基端側端面に貼り付けられているので、貫通孔２１ｄの延長線上に配置されていると言える。
【００３４】
薄膜１６の材料としては、例えば、アルミ箔、紙とアルミ箔とからなる積層膜、容器用本体部１１に含まれる樹脂と同じ樹脂を含む樹脂膜等が挙げられる。上記樹脂膜は、単層膜、複数層からなる積層膜のいずれであってもよい。中でも、熱溶着による薄膜１６のポート本体部２２に対する高い接着性を確保する観点から、ポート本体部２２に接する面にポート本体部２２に含まれる樹脂と同じ樹脂を含む樹脂膜が好ましい。薄膜１６は、透明、半透明、不透明の何れであってもよいが、図２Ｄにおいては、理解の容易化のために、薄膜１６にドットを付している（図１１Ｄ，図１６Ｄについても同様。）
【００３５】
薄膜１６のポート本体部２２への接着方法は、薄膜１６の材料及びポート本体部２２の材料等に応じて適宜選択される。
【００３６】
図３Ａは、医療用ポートを構成するブリッジ１９ａ及び連通部材１９を説明する斜視図であり、図３Ｂは、図３Ａに示した連通部材１９のＡ−Ａ'断面図である。連通部材１９は、薄膜１６（図２Ｇ参照）側とは反対側の端部において、平面形状が円形の板状部１９ｅを含み、板状部１９ｅには複数の貫通孔１９ｄが形成されている。
【００３７】
また、連通部材１９は、板状部１９ｅよりも薄膜側において、薄膜側の空間を複数に区画する複数の隔壁１９ｃを有している。隔壁１９ｃは、各孔１９ｄの延長方向における空間を相互に隔てるように配置されている。故に、送液回路２７（図４等参照）のコネクタ２５を医療用ポート１３に接続するために、コネクタ２５で連通部材１９を薄膜側に押し込んで、穿刺部１９ｂにより薄膜１６を突き破った際には、複数の隔壁１９ｃを有することにより形成され、ポート本体部２２（基部２０）の空間２０ａに対して開いた複数の空間１９ｇ及び複数の貫通孔１９ｄ（図３Ｂ参照）が、容器本体部１１に充填された液状物を栄養剤用容器外へ（矢印Ｘの方向へ（図３Ａ参照））流出させ得る複数の流路１９ｐとして機能する。図３Ａ及び図３Ｂに示した連通部材１９は、４つの隔壁１９ｃを有し、故に４つの流路１９ｐを有する。４つの隔壁１９ｃは周方向に沿って等角度で配置されおり、かつ、相互に一体化されているので、図４Ｂに示されるように、複数の隔壁１９ｃからなる区画体の断面形状は略十字である。
【００３８】
連通部材１９は、その軸方向（Ｚ軸方向）両端のうちの薄膜１６側に穿刺部１９ｂを有する。穿刺部１９ｂはその先端が、薄膜１６を突き破り可能な程度に尖っている。図３Ａに示した例では、複数の隔壁１９ｃが、各々、連通部材１９の薄膜側の先端に向かって傾斜した傾斜面１９ｍを有しており、各傾斜面１９ｍが連通部材１９の薄膜側の先端１９ｆに集束して、薄膜１６を突き破り可能とする穿刺部１９ｂを形成している。
【００３９】
図３Ａに示されるように、連通部材１９は、穿刺部１９ｂよりも薄膜側先端１９ｆから離れたいずれかの箇所において、穿刺部１９ｂよりも外方向（径方向）に出っ張った部分１９ｈ、換言すると、穿刺部１９ｂよりも連通部材１９の軸方向と直交する方向に出っ張った部分１９ｈを有していると好ましい。穿刺部１９ｂにより薄膜１６を破った後、当該部分１９ｈが、薄膜１６の破られていない部分に接して、連通部材１９が容器本体部１１内に落下することが防止される。図３Ａに示した例では、部分１９ｈの薄膜１６（図２Ｇ等参照）と向かい合う面１９ｊが、薄膜１６の破られていない部分に接して連通部材１９が容器本体部１１内に落下することが防止される。
【００４０】
ブリッジ１９ａは、隔壁１９ｃから外方（例えば、連通部材１９の軸方向と直交する方向）に突出するように設けられている。ブリッジ１９ａの数、形状等については、ポート本体部２２により連通部材１９が安定的に支持され、かつ、連通部材１９を薄膜１６側へ押し込む際にはブリッジ１９ａを容易に破断可能である限り、特に制限はない。例えば、連通部材１９がその中心軸１９ｎ（図２Ａ参照）を中心に放射状に配置された複数の隔壁１９ｃを備え、複数の隔壁１９ｃの管状部２１ａの内周面と向かい合う面が周方向に沿って配置されている場合、ブリッジ１９ａは、複数の隔壁１９ｃのうちの、１つおきの隔壁１９ｃから外方向（径方向）に延びるように設けられてもよい。例えば、図３Ａ及び図３Ｂに示された連通部材１９では、隔壁１９ｃの数が４つであるので、相互に１８０度離れた２つの隔壁１９ｃのみにブリッジ１９ａを設ける。
【００４１】
図４に、医療用ポート１３の接続部２１及び連通部材１９に対して、コネクタ２５とコネクタ２５に接続された可撓性チューブ２６とを含む送液回路２７が接続される直前の様子を示し、図５に、接続部２１及び連通部材１９に対して送液回路２７が接続される途中、図６Ａ及び図６Ｂに、接続部２１及び連通部材１９に対して送液回路２７が接続される途中であって、薄膜１６が破られた状態を示している。
【００４２】
図４〜図６Ｂに示されるように、接続部２１及び連通部材１９は、図７Ａ〜図７Ｅを用いて後述するコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１参照）に接続されるという誤接続の問題が解決される。さらに、図３Ａ〜図３Ｇに示されるように、連通部材１９の穿刺部１９ｂ側とは反対側の端面において、複数の貫通孔１９ｄが形成されており、先端が鋭利な接続針が貫通孔内に挿入され難い形態となっているので、上記誤接続をより確実に防止できる。
【００４３】
図４〜図６Ｂに示されるように、コネクタ２５内に管状部２１ａを圧入した後、コネクタ２５をその軸を中心に回転させれば、後述するように医療用ポート１３の爪部２１ｃがコネクタ２５の係合部に係合するので、コネクタ２５は接続部２１に固定され、コネクタ２５の抜けが確実に防止される。また、爪部２１ｃとコネクタ２５の係合部とが係合した状態では、図６Ｂに示されるように、管状部２１ａの外周面２１２がコネクタ２５の内面（大径部３３ａ）と密着するので、コネクタ２５と医療用ポート１３とが、液漏れを生じさせることなく接続される。
【００４４】
なお、医療用ポート１３とコネクタ２５との接続状態の保持は、各種の公知の構造によって行われればよく、医療用ポート１３の接続部である、ロック凸部２１１ｃを含む爪部２１ｃ（図２Ｆ等参照）と、コネクタ２５のロック凹部３２１ｇを含む係合壁３２１ｄ（図７Ａ参照）との係合以外の方法により行われてもよい。
【００４５】
医療用ポート１３の薄膜１６以外の材料としては、特に制限はないが、軟質樹脂シート１６ａ，１６ｂの材料よりも硬い、例えば、ポリエチレン（ＰＥ）、ポリプロピレン（ＰＰ）、ポリアセタール（ＰＯＭ）、ポリエチレンテレフタレート（ＰＥＴ）、ポリカーボネート（ＰＣ）等が挙げられる。
【００４６】
次に、医療用ポート１３に接続されるコネクタの一例について、図７Ａ〜図７Ｅを用いて説明する。
【００４７】
図７Ａは、本発明の医療用ポートに接続されるコネクタ２５の一例の概略構成を示した斜視図であり、図７Ｂは、図７Ａに示したコネクタ２５の平面図であり、図７Ｃは、図７Ａに示したコネクタ２５の底面図であり、図７Ｄは、図７Ａに示したコネクタ２５の側面図であり、図７Ｅは、図７Ａに示したコネクタ２５の他の側面図である。
【００４８】
図７Ａ〜図７Ｅに示されるように、メス型のコネクタ２５は、挿入部３３と、送液チューブ接続部３０と、鍔部３２と、把持部３１とを含む。コネクタ２５は、栄養剤用容器１０（図１参照）の医療用ポート１３に接続されることにより、容器本体部１１内とコネクタ２５に接続された可撓性チューブ２６（図４〜図６Ｂ等参照）の内腔とを連通可能とする。一点鎖線１５１は挿入部３３及び送液チューブ接続部３０の中心軸であり、中心軸１５１の方向を上下方向とし、図７Ａの紙面上側（医療用ポートに接続される側）を「上側」、紙面下側を「下側」と呼ぶことにする。
【００４９】
コネクタ２５は、全体として略筒形状を有し、その上端近傍の挿入部３３は、医療用ポート１３の管状部２１ａの最大外径と等しいか僅かに小さな内径を有する大径部３３ａを有し、大径部３３ａより下側に、連通部材１９の板状部１９ｅ（図３Ａ参照）の外径及び大径部３３ａの内径より小さな内径を有する小径部３３ｂを有する。大径部３３ａの内径は、筒状部２１ａの最大外径と等しいか僅かに小さいので、コネクタ２５の挿入部３３に医療用ポート１３の管状部２１ａを押し込んでコネクタ２５と医療用ポート１３とが接続された状態の時に、管状部２１ａの外周面２１２が大径部３３ａの内周面に密着する（図６Ｂ参照）。したがって、医療用ポート１３とコネクタ２５とを液状物の漏れを生ずることなく確実に接続できる。
【００５０】
そして、コネクタ２５の挿入部３３は、大径部３３ａと小径部３３ｂとを有することにより、大径部３３ａと小径部３３ｂとの間に段差面３３ｃを有する。この段差面３３ｃは、コネクタ２５が医療用ポート１３に接続されたときに、管状部２１ａの端面２１１ａ及び連通部材１９の端面１９ｋと接する（図６Ｂ参照）。
【００５１】
小径部３３ｂよりも下側には、略円筒状の送液チューブ接続部３０が設けられている。
【００５２】
大径部３３ａの周囲で且つこれより上側に、一対の鍔部３２が形成されている。一対の鍔部３２は中心軸１５１に対して対称である。鍔部３２は、中心軸１５１を中心軸とする円筒面にほぼ沿った円弧状壁３２１と、中心軸１５１に垂直な方向に延びて円弧状壁３２１の下端と大径部３３ａの上端とを繋ぐ渡り部３２２とを有する。
【００５３】
図７Ａ及び図７Ｂに示されるように、円弧状壁３２１は、中心軸１５１に対向する内周面の形状の相違により、通過領域３２１ａと、係合領域３２１ｂと、非通過領域３２１ｃとを含む。図７Ｂに示されるように、通過領域３２１ａの内周面は直径ＤＦ２１の円筒面の一部であり、非通過領域３２１ｃの内周面は直径ＤＦ２３（ＤＦ２３＜ＤＦ２１）の円筒面の一部である。通過領域３２１ａと非通過領域３２１ｃとの間の係合領域３２１ｂは、図７Ａに示されるように、その上端に、通過領域３２１ａの上端と非通過領域３２１ｃの上端とを繋ぐように周方向に延在する係合壁３２１ｄを備える。係合壁３２１ｄの中心軸１５１に対向する内周面は、直径ＤＦ２２（ＤＦ２２＜ＤＦ２１）の円筒面の一部である。係合領域３２１ｂは、係合壁３２１ｄを備えることによって、係合壁３２１ｄと渡り部３２２との間の領域が凹状に陥没している。すなわち、係合壁３２１ｄと渡り部３２２との間の領域は、係合壁３２１ｄよりも相対的に中心軸１５１から後退して、凹部３２１ｅを構成している。係合領域３２１ｂに対して周方向に隣接する非通過領域３２１ｃは、凹部３２１ｅに対して相対的に中心軸１５１方向に突出しており凸部３２１ｆを構成する。係合壁３２１ｄの非通過領域３２１ｃ側端の下面（凹部３２１ｅ側の面、渡り部３２２に面する面）には、凹状に窪んだロック凹部３２１ｇが形成されている。渡り部３２２のうちの係合壁３２１ｄと向かい合う部分には、渡り部３２２の厚み方向に貫通する貫通孔２２０（図７Ｃ参照）が形成されているが、貫通孔２２０は形成されていなくてもよい。
【００５４】
また、図７Ａに示されるように、挿入部３３の周囲に、挿入部３３の外周面から外方向（中心軸１５１に直交する方向）に突出した、一対の把持部３１が形成されている。医療用ポート１３の爪部２１ｃ（図２Ａ等参照）を鍔部３２に係合させるために行われる回転操作の際に、この一対の把持部３１を持って回転操作が行われる。
【００５５】
次に、コネクタ２５の医療用ポート１３への接続方法を説明する。
【００５６】
図４〜図６Ｂに示されるように、コネクタ２５の挿入部３３内に連通部材１９が挿入されるように、コネクタ２５を医療用ポート１３に装着しながら、連通部材１９を薄膜側１６側へ押し込み、ブリッジ１９ａ（図２Ｂ等参照）を破断し、連通部材１９の穿刺部１９ｂで薄膜１６を破る。すなわち、コネクタ２５を医療用ポート１３に接続するための操作によって連通部材１９を容器本体部１１（図１参照）側に押し込む。
【００５７】
次いで、把持部３１を把持して、医療用ポート１３に対してコネクタ２５を中心軸の周りに回転させれば、コネクタ２５の回転に伴い、ロック突起２１１ｃ（図２Ｆ等参照）が、係合壁３２１ｄの渡り部３２２側の面３２１ｈに押さえつけられながら当該面３２１ｈ上を摺動し、次いでロック凹部３２１ｇ（図７Ａ参照）に嵌合する。ロック突起２１１ｃとロック凹部３２１ｇとの嵌合により、コネクタ２５が医療用ポート１３に接続された状態を安定的に保持できる。
【００５８】
このように、栄養剤用容器１０（図１参照）では、例えば、医療用ポート１３の連通部材１９をコネクタ２５で容器本体部１１側に押し込みながら、コネクタ２５を医療用ポート１３に接続するだけで、栄養剤用容器１０内と送液回路２７内とを連通させることができるので、液状物の供給が簡単な操作で衛生的に行える。
【００５９】
また、コネクタ２５には、爪部２１ｃ（図２Ｆ等参照）が収納されるロック凹部３２１ｇに隣接して凸部３２１ｆ（図７Ａ参照）が設けられているので、医療用ポート１３の爪部２１ｃをロック凹部３２１ｇ内に侵入させ、更に凸部３２１ｆに当接するまで移動させれば、爪部２１ｃと係合壁３２１ｄとを確実に係合させることができる。
【００６０】
また、医療用ポート１３の爪部２１ｃがコネクタ２５の凸部３２１ｆに当接することにより、医療用ポート１３に対するコネクタ２５の回転が規制されることが好ましい。これにより、医療用ポート１３に対してコネクタ２５を、回転が規制されるまで回転させるという簡単な操作により、爪部２１ｃと係合壁３２１ｄとを確実に係合させることができる。
【００６１】
コネクタ２５の、ＪＩＳ−Ｋ７２０２に基づいて測定される硬度は、送液チューブ接続部３０への可撓性を有する送液チューブ２６の接続作業性の向上の観点から、Ｒ４０〜Ｒ１４０であると好ましく、Ｒ５０〜Ｒ１００であるとより好ましい。
【００６２】
連通部材１９の形態については、図３Ａ及び図３Ｂに示されたものに限定されない。例えば、図３Ｃに示されるように、連通部材１９は、板状部１９ｅに３つの貫通孔１９ｄを有し、板状部１９ｅよりも薄膜側に３つの隔壁１９ｃを有し、３つの流路を有するものであってもよい。図３Ｃに示された連通部材１９においては、全ての隔壁１９ｃにブリッジ１９ａが設けられており、複数のブリッジ１９ａは周方向に等間隔に配置されているが、ポート本体部２２（図２等参照）により連通部材１９が安定的に支持されるのであれば、少なくとも１つのブリッジ１９ａが設けられていればよい。
【００６３】
図３Ｄに示されるように、連通部材１９は、板状部１９ｅに２つの貫通孔１９ｄを有し、板状部１９ｅよりも薄膜側に１つの隔壁１９ｃを有し、２つの流路を有するものであってもよい。図３Ｄに示された連通部材１９においては、隔壁１９ｃの管状部２１ａの内周面と向かい合う面にブリッジ１９ａが各々形成されている。すなわち、図３Ｄに示された連通部材１９においては、１つの隔壁１９ｃに１対のブリッジ１９ａが、連通部材１９の中心軸に対して対称に設けられているが、ポート本体部（図２等参照）により連通部材１９が安定的に支持されるのであれば、少なくとも１つのブリッジ１９ａが設けられていればよい。
【００６４】
図３Ｅ〜図３Ｇに示されるように、連通部材１９は、略円筒状であり、貫通孔１９ｄを２〜４つ有することにより、その内腔が２〜４つに分割され、２〜４つの流路を有するものであってもよい。図３Ｅ〜図３Ｇに示されるように、連通部材１９が略円筒状であり、連通部材１９の長手方向両端のうちの穿刺部１９ｂ側からその端面を平面視した場合の外形が例えば円形であると、連通部材１９の穿刺により薄膜１６に大きな孔を形成できる観点から好ましい。図３Ｅ〜図３Ｇに示された連通部材１９においても、ポート本体部（図２等参照）により連通部材１９が安定的に支持されるのであれば、その外周面に、少なくとも１つのブリッジ１９ａが設けられていればよい。
【００６５】
（実施形態２）
次に、図８〜図９Ｄを用いて、本発明の医療用ポートの他の一例、及び当該医療用ポートを用いた本発明の栄養剤用容器の他の一例について説明する。
【００６６】
図８は、本実施形態の栄養剤用容器の一例を示した部分斜視図である。図８に示されるように、本実施形態の医療用ポート及び栄養剤用容器は、医療用ポート１３が、連通部材１９を保護するための保護カバー４０をさらに含むこと以外は実施形態１の医療用ポート及び栄養剤用容器と同じ構成をしており、同一部材には同じ部材番号を付してその説明を省略する。
【００６７】
本実施形態では、保護カバー４０によって連通部材１９が保護されているので、希望しない時に連通部材１９に外力が加わることが防止される。故に、希望しない時に連通部材１９に外力が加わり、連通部材１９が容器本体部１１側（ポート本体部２２の開口部２２ａ側）に押し込まれ、容器本体部１１側に押し込まれた連通部材１９により薄膜１６（図２Ｇ等参照）が突き破られることを防止できる。
【００６８】
保護カバー４０は、図９Ａ〜図９Ｄに示すように、連通部材１９を天面部１７（図２Ａ参照）の外面側から覆うカバー本体４１と医療用ポート１３の爪部２１ｃ（図２Ａ参照）と係合可能な係合壁４２１ｄを係合部として含む１対の鍔部４２とを含む。保護カバー４０の鍔部４２は、上記コネクタ２５の鍔部と同一構造をしている。
【００６９】
保護カバー４０を、カバー本体４１内に連通部材１９及び接続部用基部２１ｂ（図２Ａ参照）が収まるように被せ、保護カバー４０を回転させて、医療用ポート１３の爪部２１ｃのロック突部２１１ｃ（図２Ｆ等参照）を、係合壁４２１ｄの非通過領域４２１ｃ側端の下面（凹部４１８側の面）に形成されたロック凹部４２１ｇに嵌合させれば、保護カバー４０が医療用ポート１３に装着された状態を安定的に保持できる。
【００７０】
本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。保護カバー４０を医療用ポート１３から取り外し、例えば、コネクタ２５を介して連通部材１９に薄膜１６側に押し込む力を付与して薄膜１６を破り、医療用ポート１３に送液回路２７を接続するだけで（図５〜図７Ｂ等参照）、患者への液状物の供給が可能となる。
【００７１】
（実施形態３）
実施形態３では、図１０〜図１４を用いて、本発明の医療用ポートの他の一例、及び当該医療用ポートを用いた本発明の栄養剤用容器の他の一例について説明する。
【００７２】
図１０は、本実施形態の栄養剤用容器の一例を示した正面図である。図１１Ａは、図１０に示された栄養剤用容器を構成する本実施形態の医療用ポートの一例を示した拡大斜視図であり、図１１Ｂは、図１１Ａに示された医療用ポート４３の部分拡大図であり、図１１Ｃは、図１１Ａに示された医療用ポート４３の平面図、図１１Ｄは、図１１Ａに示された医療用ポート４３の底面図、図１１Ｅは、図１１Ａに示された医療用ポート４３の側面図、図１１Ｆは、図１１Ａに示された医療用ポート４３の他の側面図である。図１２は、図１１Ａに示した医療用ポート４３のブリッジ及び連通部材を説明する斜視図である。図１０〜図１２に示されるように、本実施形態の医療用ポート及び栄養剤用容器は、薄膜１６の取り付け位置と、連通部材３９の形状、ブリッジ３９ａの形状、及び接続部用基部２１１ｂの形状が異なること以外は実施形態１の医療用ポート及び栄養剤用容器と同じ構成をしており、同一部材には同じ部材番号を付してその説明を省略する。
【００７３】
図１３に示されるように、側壁部１８の下面１８ｂに薄膜１６が貼り付けされている。よって、栄養剤用容器１０（図１０参照）では、管状部２１ａの貫通孔２１ｄ及び側壁部１８によって囲われた空間２０ａと、容器本体部１１（図１０参照）内との間の液状物の流通が、薄膜１６によって遮られている。そのため、図１０に示されるように、栄養剤用容器１０を、医療用ポート５３が下になるように向けても、栄養剤用容器１０内の液状物は、栄養剤用容器１０から漏れ出ない。薄膜１６は、ポート本体部２２の開口部２２ａ（図１０参照）を塞ぐように、側壁部１８の下面に取り付けられているので、貫通孔２１ｄの延長線上に配置されていると言える。
【００７４】
実施形態１の医療用ポート１３では、接続部用基部２１１ｂ（図２Ａ等参照）が管状部２１ａと一体化しており、例えば、接続部用基部２１１ｂと管状部２１ａとの間に両者を別ける稜線等の境界線は無い。しかし、本実施形態の医療用ポート４３では、図１１Ａ等に示されるように、接続部用基部２１１ｂは、天面部１７から上側に突出し、且つ、管状部２１ａから離隔して設けられているので、管状部２１ａと接続部用基部２１１ｂとの間に、溝部２１１ｄが存在する。そのため、本実施形態の医療用ポート４３は、実施形態１の医療用ポート１３よりも、成形時にヒケ等が生じ難く、製造が容易であるため、好ましい。
【００７５】
図１３に示されるように、連通部材３９は、薄膜１６（図１３参照）側とは反対側に筒状部３９ｅを含む。図１１Ｂ、図１１Ｃ及び図１２に示されるように、筒状部３９ｅは、連通部材３９を薄膜側とは反対側の端面側から平面視した場合に見える円周の一部が切り欠かれるように形成され、連通部材３９の軸方向に沿って形成された切欠き部３９ｈを有している。筒状部３９ｅの外側面は、管状部２１ａの内径よりも僅かに小さい径の円筒面の一部である。また、図１３及び図１２に示されるように、連通部材３９は、その軸方向両端のうちの薄膜１６側に穿刺部３９ｂを有する。穿刺部３９ｂはその先端が、薄膜を突き破り可能な程度に尖っている。図１２に示されるように、連通部材３９では、薄膜側の先端に向かって傾斜した１対の傾斜面３９ｍを有し、各傾斜面３９ｍが、連通部材３９の薄膜側の先端３９ｆに集束して、薄膜１６を突き破り可能とする穿刺部３９ｂを形成している。穿刺部３９ｂによって薄膜１６が突き破られた際には、連通部材３９の内腔３９ｊは、容器本体部１１（図１０参照）に充填された液状物を栄養剤用容器外へ（矢印Ａの方向へ）流出させ得る流路として機能する。
【００７６】
ポート本体部２２と、ブリッジ３９ａと、連通部材３９とは、射出成形法等により一体成形できる。図１１Ｂに示されるように、ブリッジ３９ａは、切り欠き部３９ｈを通って筒状部３９ｅの内側と外側とに跨っており、連通部材３９の内周面３９ｋと接続部２１の管状部２１ａとを連結している。ブリッジ３９ａは、連通部材３９に対して押圧により薄膜１６（図１３参照）側に押し込む力が付与されると、塑性変形し、押圧力を受けなくなっても元の形にもどらないものである。ブリッジ３９ａの厚さ、幅等については、連通部材３９を薄膜１６（図１３参照）側に押し込んだ際に塑性変形が可能であるように、その材料に応じて適宜決定される。
【００７７】
ブリッジ３９ａの長さは、連通部材３９の穿刺部３９ｂにより薄膜１６（図１３参照）を突き破ることができる程度に、連通部材３９を薄膜１６側へ移動させることを可能とする長さであることを要する。そのようなブリッジ３９ａの長さを確保する観点から、図１１Ｂ及び図１１Ｃに示されるように、連通部材３９を薄膜側とは反対側の端面側から平面視した場合に見えるブリッジ３９ａの形状は、例えば、Ｓ字状であると好ましい。
【００７８】
また、図１２に示されるように、連通部材３９の形状が、その長手方向両端のうちの一方の端部が穿刺部３９ｂを含み薄膜１６を突き破り可能な程度に尖った円筒状等の筒状であり、切り欠き部３９ｈが、連通部材３９の長手方向全長に渡って形成されている場合、連通部材３９の穿刺により薄膜１６により大きな孔を形成可能とする観点から、切り欠き部３９ｈの幅（切り欠き部３９ｈの長手方向と直交する方向の長さ）は、ブリッジ３９ａの切り欠き部３９内に存在する部分の幅よりも僅かに大きい程度であると好ましい。
【００７９】
図１３に、医療用ポート４３の接続部２１及び連通部材３９に対して、コネクタ２５（図４〜６Ａ参照）とコネクタ２５に接続された可撓性チューブ２６（図４参照）とを含む送液回路２７（図４〜６Ａ参照）が接続される前の様子を示し、図１４に、連通部材３９によって薄膜１６が破られた状態を示している。尚、図１３〜図１４において、図４〜図６Ａに示した送液回路２７は省略している。
【００８０】
本実施形態においても、接続部２１及び連通部材３９は、図７Ａ〜図７Ｅを用いて説明したコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１０等参照）に接続されるという誤接続の問題が解決される。さらに、図１１Ｂ等に示されるように、連通部材３９内には、連通部材３９内の内腔（流路）３９ｊを横切るようにブリッジ３９ａが配置されており、換言すると、ブリッジ３９ａが、流路を跨ぐように、連通部材３９とポート本体部２２の管状部２１ａ（図１１Ａ及び図１１Ｂ等参照）とを連結している。そのため、先端が鋭利な接続針が連通部材３９内に挿入され難い形態となっており、上記誤接続をより確実に防止できる。
【００８１】
本実施形態においても、例えば、コネクタ２５を介して連通部材３９に薄膜１６（図１３参照）側へ押し込む力を付与して、ブリッジ３９ａを塑性変形し、薄膜１６を破り、医療用ポート４３に送液回路２７（図５参照）を接続するだけで、患者への液状物の供給が可能となる。よって、本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。
【００８２】
尚、ブリッジ３９ａは、連通部材３９に対して押圧により薄膜１６側に押し込む力を加えると、塑性変形し、押圧力を受けなくなっても元の形にもどらないものに限定されず、破断するものであってもよいし、弾性変形するものであり、押圧力を受けなくなった場合に元の形にもどるものでもよい。また、ブリッジ３９ａは、ポート本体部２２と連通部材３９とが繋がったまま薄膜１６を破ることができる場合は、連通部材３９が容器本体部１１（図１０参照）内に落下して液状物に連通部材３９が浮遊することが確実に防止でき好ましいが、本実施形態において、ブリッジ３９ａは破断するものであってもよい。
【００８３】
また、本実施形態の医療用ポート及び栄養剤用容器は、実施形態２で説明した保護カバーを備えていてもよい。
【００８４】
（実施形態４）
実施形態４では、図１５〜図１８Ｄを用いて、本発明の医療用ポートの他の一例、及び当該医療用ポートを用いた本発明の栄養剤用容器の他の一例について説明する。
【００８５】
図１５は、本実施形態の栄養剤用容器の一例を示した正面図である。図１６Ａは、図１５に示された栄養剤用容器を構成する本実施形態の医療用ポートの一例を示した拡大斜視図であり、図１６Ｂは、図１６Ａに示された医療用ポート５３の部分拡大図であり、図１６Ｃは、図１６Ａに示された医療用ポート５３の平面図、図１６Ｄは、図１６Ａに示された医療用ポート５３の底面図、図１６Ｅは、図１６Ａに示された医療用ポート５３の側面図、図１６Ｆは、図１６Ａに示された医療用ポート５３の他の側面図、図１７Ａは、図１６Ａに示された医療用ポート５３のＢ−Ｂ’断面図であり、図１７Ｂは、図１６Ａに示された医療用ポート５３のＣ−Ｃ’拡大断面図である。図１５〜図１７Ｂに示されるように、本実施形態の医療用ポート及び栄養剤用容器は、薄膜１６の取り付け位置、連通部材４９の形状、及びブリッジ４９ａの形状が異なること以外は実施形態２の医療用ポート及び栄養剤用容器と同じ構成をしており、同一部材には同じ部材番号を付してその説明を省略する。
【００８６】
図１６Ｄ及び図１７Ａに示されるように、側壁部１８の下面１８ｂに薄膜１６が貼り付けされている。よって、栄養剤用容器１０（図１５参照）では、管状部２１ａの貫通孔２１ｄ及び側壁部１８によって囲われた空間２０ａと、容器本体部１１（図１５参照）内との間の液状物の流通が、薄膜１６によって遮られている。そのため、図１５に示されるように、栄養剤用容器１０を、医療用ポート５３が下になるように向けても、栄養剤用容器１０内の液状物は、栄養剤用容器１０から漏れ出ない。薄膜１６は、ポート本体部２２の開口部２２ａ（図１５参照）を塞ぐように、側壁部１８の下面１８ｂ（図１７Ａ参照）に取り付けられているので、貫通孔２１ｄの延長線上に配置されていると言える。
【００８７】
図１６Ａ及び図１６Ｂに示されるように、連通部材４９は、薄膜１６（図１７Ａ等参照）側の反対側に配置された筒状部４９ｅを含む。筒状部４９ｅは、互いに向かい合うように配置され筒状部４９ｅの中心軸に対して相互に対称に配置された１対の平板状部４９１ｅと、これらを連結する１対の湾曲板状部４９２ｅとを含む。各湾曲板状部４９２ｅの外側面は、管状部２１ａの内径よりも僅かに小さい径の円筒面の一部であるが、平板状部４９１ｅの外側面は、当該円筒面よりも相対的に管状部２１ａから離れる方向に後退しており、凹部４９３ｅを構成している。
【００８８】
図１７Ａ及び図１７Ｂに示されるように、連通部材４９は、筒状部４９ｅよりも薄膜側に、穿刺部４９ｂを含み、管状部２１ａ内の空間を複数に分割する隔壁４９ｃを含んでいる。隔壁４９ｃの薄膜側端部の幅が先端に向かって徐々に狭くなることにより、薄膜１６を突き破り可能な程度に尖った穿刺部４９ｂを形成している。図１７Ｂに示されるように、隔壁４９ｃは、湾曲板状部４９２ｅの下端に連結され、筒状部４９ｅに一体化されているので、筒状部４９ｅが薄膜１６側に押し込まれると、隔壁４９ｃも薄膜１６側に押し込まれる。隔壁４９ｃの主面は、１対の平板状部４９１ｅの主面と平行である。隔壁４９ｃの大部分は、平板状部４９１ｅの各下端と管状部２１ａとを連結する１対のブリッジ４９ａよりも下方（薄膜１６に近い側）に配置されているが、連通部材４９を薄膜１６側とは反対側の端面側から平面視した場合、隔壁４９ｃは、１対のブリッジ４９ａの間に配置されているように見える（図１６Ｃ参照）。
【００８９】
図１８Ａに、医療用ポート５３の接続部及び連通部材４９に対して、コネクタ２５とコネクタ２５に接続された可撓性チューブ２６とを含む送液回路２７（図４〜図６Ａ参照）が接続される前の様子を示し、図１８Ｂ〜図１８Ｄに、連通部材４９が薄膜１６側に押し込まれる途中の様子を示している。尚、図１８Ａ〜図１８Ｄにおいて、図４〜図６Ａに示した送液回路２７は省略している。
【００９０】
ポート本体部の管状部２１ａとブリッジ４９ａとの連結部位（第１連結部位）５１の厚みＴ１は、ブリッジ４９ａのうちの当該連結部位５１の近傍部分の厚みよりも薄い。ブリッジ４９ａと連通部材４９の筒状部４９ｅとの連結部位（第２連結部位）５２の厚みＴ２は、ブリッジ４９ａのうちの当該連結部位５２の近傍部分の厚みよりも薄い。また、ブリッジ４９ａは、例えばその中央部に厚みがＴ３の肉薄部５４を含んでいる。そのため、コネクタ２５（図４等参照）を介して連通部材４９に対して押圧により薄膜１６側に押し込む力を加えると、図１８Ｂ〜図１８Ｄに示されるように、第１連結部位５１から第２連結部位５２までのブリッジ４９ａを含む部分Ｚ（図１８Ｂ〜図１８Ｄにおいてドットが付された部分）のうちの、第１連結部位５１、第２連結部位５２及び肉薄部５４を含む３つの肉薄部が各々折れ曲がり変形し、連通部材４９は薄膜１６側に押し込まれ、連通部材４９の穿刺部４９ｂにより薄膜１６が突き破られる。第１連結部位５１の厚みＴ１、第２連結部位５２の厚みＴ２、及び肉薄部５４の厚みＴ３及びブリッジ４９ａの各部位の厚み等については、その材料に応じて適宜決定される。
【００９１】
図１８Ｄに示された連通部材４９がさらに薄膜１６側に押し込まれ、爪部２１ｃ（図１６Ａ等参照）とコネクタ２５の係合壁３２１ｄ（係合部、図７Ａ等参照）とが係合した状態では、連通部材４９の薄膜１６側の反対側の端面４９ｆは、管状部２１ａの開口端面２１１ａとほぼ面一になる。筒状部４９ｅが薄膜１６側に押し込まれ、管状部２１ａ内に挿入された状態では、平板状部４９１ｅの外側面と、これに向う合う管状部２１ａの内面との間には隙間が形成されるが、当該隙間、即ち凹部４９３ｅ（図１６Ｂ参照）と管状部２１ａの内周面とによって囲われる空間内に、折れ曲がったブリッジ４９ａが収納される。
【００９２】
本実施形態においても、接続部２１及び連通部材４９は、図７Ａ〜図７Ｅを用いて説明したコネクタ２５を含む送液回路２７に接続される構造となっている。そのため、専ら、先端が鋭利な接続針を接続対象に突き刺すことによって液状物を体内に送る静脈栄養療法用の送液回路が、誤って、経腸栄養療法に使用される栄養剤用容器１０（図１５参照）に接続されるという誤接続の問題が解決される。
【００９３】
また、本実施形態においても、例えば、コネクタ２５を介して連通部材４９に薄膜１６側に押し込む力を付与して、第１連結部位５１から第２連結部位５２までのブリッジ４９ａを含む部分Ｚを折り曲げ変形し、必要に応じて塑性変形し、薄膜１６を破り、医療用ポート５３に送液回路２７（図４参照）を接続するだけで、患者への液状物の供給が可能となる。よって、本実施形態においても、実施形態１と同様に、静脈栄養療法に用いられる送液回路が誤って接続されるという誤接続の問題を解決できるだけでなく、栄養剤等の液状物の供給が簡単な操作で、衛生的に行える。
【００９４】
尚、図１８Ａ等を用いて説明した本実施形態の一例では、ブリッジ４９ａの肉薄部５４は１つであり、第１連結部位５１、第２連結部位５２、及び肉薄部５４が折れ曲がることで連通部材４９の薄膜１６側への押し込みが許容されているが、ブリッジは１個以上または複数の肉薄部を含んでいてよい。連通部材４９に対して押圧により薄膜側に押し込む力を加えた際に、折れ曲がり変形することにより、連通部材４９の薄膜側への移動及び連通部材４９による薄膜の突き破りが許容されれば、連結部位５１、５２の形状及び肉薄部の数等について特に制限はないが、部分Ｚにおける肉薄部の数は、肉薄部の数が少ないことによりブリッジが破断したり、肉薄部の数が多すぎることにより折れ曲がり方が複雑になることを抑制する観点から、３つが好ましい。
【００９５】
また、本実施形態において、ブリッジ４９ａは、連通部材４９に対して押圧により薄膜側に押し込む力を加えると折れ曲がり変形するものであり、ポート本体部２２と連通部材４９とが繋がったまま薄膜１６を破ることができるので、連通部材４９が容器本体部１１（図１５参照）内に落下して液状物に連通部材４９が浮遊することが確実に防止でき好ましいが、本実施形態において、ブリッジ４９ａは破断するものであってもよい。
【００９６】
また、本実施形態の医療用ポート及び栄養剤用容器は、実施形態２で説明した保護カバーを備えていてもよい。
【００９７】
尚、図１、図８、図１０、図１５に示した栄養剤用容器１０の容器本体部１１内には、栄養剤等の液状物（図示せず）が充填されているが、図１９に示されるように、栄養剤用容器１０は、容器本体部１１内に液状物が充填されていない空の容器であってもよい。図１９に示されるように、栄養剤用容器１０の容器本体部１１は、開口部２３を有し、開口部２３を幅方向に横切って、開口部２３を可逆的に開閉可能にするジップ２３ａ（再開閉を自在とする係合部である。別名「チャックシール」とも言う。）を備える。開口部２３の上方には、吊り下げ部（図示せず）が設けられていてもよい。
【００９８】
また、図５に示された送液回路２７は、図示の便宜上、コネクタ２５と可撓性チューブ２６の一部のみを図示しているが、実施形態１〜４の医療用ポート及び栄養剤用容器に接続され、または、栄養剤用容器とともに栄養剤供給セットを構成する送液回路は、可撓性チューブ２６を押圧して可撓性チューブ２６を流れる液状物の流量を調節するための流量調整器、点滴筒、患者に固定された経鼻チューブ等に接続されうるコネクタ、当該コネクタのカバー等、従来公知の経腸栄養療法に使用される送液回路が備える構成部品をさらに含んでいてもよい。
【産業上の利用可能性】
【００９９】
本発明では、経腸栄養療法に好適な、栄養剤用容器の医療用ポート、及びそれを用いた栄養剤用容器、並びに、当該栄養剤用容器を含む栄養剤供給セットを提供できる。
【符号の説明】
【０１００】
１０                    栄養剤用容器
１１                    容器本体部
１３、４３、５３        医療用ポート
１７                    天面部
１８                    側壁部
１９、３９、４９        連通部材
１９ａ、３９ａ、４９ａ  ブリッジ
１９ｂ、３９ｂ、４９ｂ  穿刺部
１９ｃ、４９ｃ          隔壁
１９ｅ                  板状部
１９ｐ，３９ｊ          流路
２０                    基部
２１                    接続部
２２                    ポート本体部
２１ａ                  管状部
２１ｂ，２１１ｂ        接続部用基部
２１ｃ                  爪部（接続部）
２１ｄ                  貫通孔
２５                    コネクタ
２６                    可撓性チューブ
２７                    送液回路
４０                    保護カバー
５１                    ポート本体部とブリッジとの連結部位（第１連結部位）
５２                    ブリッジと連通部材との連結部位（第２連結部位）
５４                    ブリッジの肉薄部
Ｚ                      ポート本体部とブリッジとの連結部位からブリッジと連通部材との連結部位までのブリッジを含む部分
【図１】
2012137286.tif 000003
【図２Ａ】
2012137286.tif 000004
【図２Ｂ】
2012137286.tif 000005
【図２Ｃ】
2012137286.tif 000006
【図２Ｄ】
2012137286.tif 000007
【図２Ｅ】
2012137286.tif 000008
【図２Ｆ】
2012137286.tif 000009
【図２Ｇ】
2012137286.tif 000010
【図２Ｈ】
2012137286.tif 000011
【図３Ａ】
2012137286.tif 000012
【図３Ｂ】
2012137286.tif 000013
【図３Ｃ】
2012137286.tif 000014
【図３Ｄ】
2012137286.tif 000015
【図３Ｅ】
2012137286.tif 000016
【図３Ｆ】
2012137286.tif 000017
【図３Ｇ】
2012137286.tif 000018
【図４】
2012137286.tif 000019
【図５】
2012137286.tif 000020
【図６Ａ】
2012137286.tif 000021
【図６Ｂ】
2012137286.tif 000022
【図７Ａ】
2012137286.tif 000023
【図７Ｂ】
2012137286.tif 000024
【図７Ｃ】
2012137286.tif 000025
【図７Ｄ】
2012137286.tif 000026
【図７Ｅ】
2012137286.tif 000027
【図８】
2012137286.tif 000028
【図９Ａ】
2012137286.tif 000029
【図９Ｂ】
2012137286.tif 000030
【図９Ｃ】
2012137286.tif 000031
【図９Ｄ】
2012137286.tif 000032
【図１０】
2012137286.tif 000033
【図１１Ａ】
2012137286.tif 000034
【図１１Ｂ】
2012137286.tif 000035
【図１１Ｃ】
2012137286.tif 000036
【図１１Ｄ】
2012137286.tif 000037
【図１１Ｅ】
2012137286.tif 000038
【図１１Ｆ】
2012137286.tif 000039
【図１２】
2012137286.tif 000040
【図１３】
2012137286.tif 000041
【図１４】
2012137286.tif 000042
【図１５】
2012137286.tif 000043
【図１６Ａ】
2012137286.tif 000044
【図１６Ｂ】
2012137286.tif 000045
【図１６Ｃ】
2012137286.tif 000046
【図１６Ｄ】
2012137286.tif 000047
【図１６Ｅ】
2012137286.tif 000048
【図１６Ｆ】
2012137286.tif 000049
【図１７Ａ】
2012137286.tif 000050
【図１７Ｂ】
2012137286.tif 000051
【図１８Ａ】
2012137286.tif 000052
【図１８Ｂ】
2012137286.tif 000053
【図１８Ｃ】
2012137286.tif 000054
【図１８Ｄ】
2012137286.tif 000055
【図１９】
2012137286.tif 000056
【図２０】
2012137286.tif 000057
【図２１】
2012137286.tif 000058
【国際調査報告】
2012137286.tif 000059
2012137286.tif 000060